(57)【要約】      （修正有）【課題】被選別材を３種類の大きさに効率よく選別することができると共に、装置を小型、軽量化し、基礎工事や製造コストを安くした二重トロンメルを提供する。【解決手段】籠状円筒フレーム６の外周の中間部に、透過孔７Ａを開孔した多孔板８Ａを巻回して内側円筒スクリーン１０を形成し、透過孔７Ａより篩目の小さい多数の透過孔７Ｂを開孔した多孔板８Ｂを、内側円筒スクリーンの外周側に巻回して外側円筒スクリーン１３を形成し、内側円筒スクリーンの一端側の開口部を投入口１５とし、他端側の開口部を第１の排出口１６とし、外側円筒スクリーンの下方の開口部を第２の排出口１７とした二重円筒スクリーン２を形成し、傾斜した基台１の上方側に従動ローラ１９と下方側に駆動ローラ２１をそれぞれ２個ずつ取付けて、これらの上に二重円筒スクリーンの両側を回転自在に支持したものである。【選択図】図２
0003195454.tif 000002
【実用新案登録請求の範囲】
【請求項１】
籠状円筒フレームの外周の中間部に、多数の透過孔を開孔した多孔板を巻回して内側円筒スクリーンを形成し、前記透過孔より篩目の小さい多数の透過孔を開孔した多孔板を、前記内側円筒スクリーンの外周側に間隔をおいて巻回して外側円筒スクリーンを形成して、これを前記籠状円筒フレームに一体に接合し、内側円筒スクリーンの一端側の開口部を投入口とし、他端側の開口部を第１の排出口とし、外側円筒スクリーンの前記第１の排出口側のリング状開口部を第２の排出口とした二重円筒スクリーンを形成し、傾斜した基台の上方側と下方側にそれぞれ２個のローラを間隔をおいて取付けて、これらローラの上に、二重円筒スクリーンの籠状円筒フレームの長手方向に沿った両側を回転自在に支持し、上方側の２個のローラを従動ローラとし、下方側の少なくとも１個のローラを、モータに接続した駆動ローラとし、前記投入口から投入した被選別材を、回転する内側円筒スクリーンで選別して、中形および小形の被選別材を通過させ、残った大形の被選別材を第１の排出口から外部に排出し、内側円筒スクリーンを通過した中形および小形の被選別材を、篩目の小さい外側円筒スクリーンで更に選別して、小形の被選別材を透過孔を通過させて捕集し、残った中形の被選別材を第２の排出口から外部に排出して３種類の大きさの被選別材に選別するようにしたことを特徴とする二重トロンメル。
【請求項２】
籠状円筒フレームの下方側の円筒部の外周にリング状のツバ部を突設し、このツバ部の両側に、押えローラを取付けて、二重円筒スクリーンの移動を防止したことを特徴とする請求項１記載の二重トロンメル。
【請求項３】
下方側の２個のローラの一方を駆動ローラ、他方を従動ローラとし、駆動ローラを、その回転により二重円筒スクリーンを上方に移動させるように、二重円筒スクリーンの中心軸と直交する方向に対して傾斜して取付けると共に、従動ローラを駆動ローラに平行して取付けたことを特徴とする請求項１記載の二重トロンメル。
【請求項４】
駆動ローラが、ノーパンクタイヤまたは外周に滑り止めの弾性ゴムが巻回されていることを特徴とする請求項１記載の二重トロンメル。
【考案の詳細な説明】
【技術分野】
【０００１】
本考案は、トロンメルの改良に関するものである。
【背景技術】
【０００２】
木材を皮剥機で皮剥した時に排出される樹皮（バーク）や、皮剥した木材を破砕したチップは、その大きさにバラツキがあるので、篩分けして一定の大きさのものに選別している。この篩分けする選別装置としては、スクリーンを横動させる水平回転選別装置（特許文献１）と、円筒状スクリーンを回転させる横置き型トロンメル（特許文献２）とがある。水平回転選別装置は、スクリーンを横動させるので、これを支持する基台の基礎工事に多大の費用がかかる問題がある。
【０００３】
また横置き型トロンメルは、円筒状スクリーンの内側に回転軸を挿入して、モータで回転軸を回転させ、これと一体に接続した円筒状スクリーンを回転させて、投入された原料を選別するもので、回転軸に大きなトルクが加わるので軸を太くしなければならず、装置が複雑で重量が重くなる問題があった。
【先行技術文献】
【特許文献】
【０００４】
【特許文献１】特開昭５３−３４１６９
【特許文献２】特開２００１−２３２２９５
【考案の概要】
【考案が解決しようとする課題】
【０００５】
本考案は上記問題を改善し、内側円筒スクリーンの外側に外側円筒スクリーンを一体に設けて二重にして回転させることにより、被選別材を３種類の大きさに効率よく選別することができると共に、長手方向を短くして装置を小型、軽量化し、基礎工事や製造コストを安くすることができる二重トロンメルを提供するものである。
【課題を解決するための手段】
【０００６】
本考案の請求項１記載の二重トロンメルは、籠状円筒フレームの外周の中間部に、多数の透過孔を開孔した多孔板を巻回して内側円筒スクリーンを形成し、前記透過孔より篩目の小さい多数の透過孔を開孔した多孔板を、前記内側円筒スクリーンの外周側に間隔をおいて巻回して外側円筒スクリーンを形成して、これを前記籠状円筒フレームに一体に接合し、内側円筒スクリーンの一端側の開口部を投入口とし、他端側の開口部を第１の排出口とし、外側円筒スクリーンの前記第１の排出口側のリング状開口部を第２の排出口とした二重円筒スクリーンを形成し、傾斜した基台の上方側と下方側にそれぞれ２個のローラを間隔をおいて取付けて、これらローラの上に、二重円筒スクリーンの籠状円筒フレームの長手方向に沿った両側を回転自在に支持し、上方側の２個のローラを従動ローラとし、下方側の少なくとも１個のローラを、モータに接続した駆動ローラとし、前記投入口から投入した被選別材を、回転する内側円筒スクリーンで選別して、中形および小形の被選別材を通過させ、残った大形の被選別材を第１の排出口から外部に排出し、内側円筒スクリーンを通過した中形および小形の被選別材を、篩目の小さい外側円筒スクリーンで更に選別して、小形の被選別材を透過孔を通過させて捕集し、残った中形の被選別材を第２の排出口から外部に排出して３種類の大きさの被選別材に選別するようにしたことを特徴とするものである。
【０００７】
本考案の請求項２記載の二重トロンメルは、請求項１において、籠状円筒フレームの下方側の円筒部の外周にリング状のツバ部を突設し、このツバ部の両側に、押えローラを取付けて、二重円筒スクリーンの移動を防止したことを特徴とするものである。
【０００８】
本考案の請求項３記載の二重トロンメルは、請求項１において、下方側の２個のローラの一方を駆動ローラ、他方を従動ローラとし、駆動ローラを、その回転により二重円筒スクリーンを上方に移動させるように、二重円筒スクリーンの中心軸と直交する方向に対して傾斜して取付けると共に、従動ローラを駆動ローラに平行して取付けたことを特徴とするものである。
【０００９】
本考案の請求項４記載の二重トロンメルは、請求項１において、駆動ローラが、ノーパンクタイヤまたは外周に滑り止めの弾性ゴムが巻回されていることを特徴とするものである。
【考案の効果】
【００１０】
本考案に係る請求項１記載の二重トロンメルによれば、内側円筒スクリーンの外側に外側円筒スクリーンを一体に設けて、従動ローラとギアードモータに接続した駆動ローラの上に回転自在に支持したので、内側円筒スクリーンで大形の被選別材を選別して第１の排出口から外部に排出し、内側円筒スクリーンを通過した中形および小形の被選別材を、篩目の小さい外側円筒スクリーンで更に選別して小形の被選別材を透過孔を通過させて捕集し、残った中形の被選別材を第２の排出口から外部に排出して被選別材を３種類の大きさに選別することができる。
【００１１】
また外径の大きな外側円筒スクリーンは周速度が大きく、被選別材は内周面に沿って高く持ち上げられて落下し、回転する内側円筒スクリーンの外周や外側円筒スクリーンの内側底面に叩き付けるように落下するので、小形の被選別材を効率よく選別することができ、特に木材チップの選別の場合に、ダスト混入率の少ない販売価格の高い適合サイズのチップを得ることができる。更に内側円筒スクリーンの外側に外側円筒スクリーンを一体に設けた構造なので、長手方向を短くして装置を小型、軽量化できると共に基礎工事や製造コストを安くすることができる。
【００１２】
また請求項２記載の二重トロンメルによれば、籠状円筒フレームの下方側の円筒部の外周にリング状のツバ部が突設され、このツバ部の両側に、押えローラを取付けたので、二重円筒スクリーンの移動を防止して安定して回転することができる。
【００１３】
本考案の請求項３記載の二重トロンメルによれば、下方側の２個のローラの一方を駆動ローラ、他方を従動ローラとし、駆動ローラを、その回転により二重円筒スクリーンを上方に移動させるように、二重円筒スクリーンの中心軸と直交する方向に対して傾斜して取付けると共に、従動ローラを駆動ローラに平行して取付けたので、駆動ローラにより二重円筒スクリーンを上方に移動させるように回転し、リング状のツバ部に下方側から接触する押えローラへ加わる荷重が低減され、押えローラのベアリングの損傷を防止することができる。
【００１４】
また請求項４記載の二重トロンメルによれば、駆動ローラが、ノーパンクタイヤまたは外周に滑り止めの弾性ゴムが巻回されているので、スリップせずに二重円筒スクリーンを安定して回転させることができる。
【考案を実施するための最良の形態】
【００１５】
以下木材チップの選別に用いた本考案の実施の一形態を図１〜図５を参照して詳細に説明する。二重トロンメルは、図１および図２に示すように上部が傾斜した基台１の上に、二重円筒スクリーン２が横置きに傾斜して回転自在に支持されている。二重円筒スクリーン２は図２に示すように、両端側に金属板を巻回した円筒部３、４の間に籠状の枠５を形成した籠状円筒フレーム６の中間部の籠状の枠５に、多数の透過孔７Ａを開孔した多孔板８Ａを巻回して内側円筒スクリーン１０が形成されている。
【００１６】
更に前記内側円筒スクリーン１０の多孔板８Ａの外周側に間隔をおいて、前記透過孔７Ａより篩目の小さい多数の透過孔７Ｂを開孔した多孔板８Ｂを巻回して外側円筒スクリーン１３を形成し、上方側の端部をリング状の金属板１１で塞ぎ、下方側の端部に円筒部９を設けて、リング状の開口部を形成している。この円筒部９に図３に示すように、複数本の補強用ステー１２を放射状に設けて内側円筒スクリーン１０の円筒部３と連結し、外側円筒スクリーン１３と内側円筒スクリーン１０が一体に形成されている。
【００１７】
この内側円筒スクリーン１０の上方側の開口部を図２に示すように投入口１５とし、下方側の開口部を第１の排出口１６とし、外側円筒スクリーン１３の前記第１の排出口１６側のリング状開口部を第２の排出口１７としている。
【００１８】
また傾斜した基台１の上方側と下方側には、図５に示すようにそれぞれ２個のローラを間隔をおいて取付けて、これらローラの上に、二重円筒スクリーン２を形成する籠状円筒フレーム６の長手方向に沿った両側の円筒部３と円筒部４を回転自在に支持している。この場合、上方側に配置した２個のローラを従動ローラ１９とし、下方側に配置した２個のローラを、ギアードモータ２０に接続した駆動ローラ２１として、駆動ローラ２１の回転力により、図３に示す矢印方向に二重円筒スクリーン２を回転させるようになっている。この駆動ローラ２１としては例えばノーパンクタイヤを使用し、スリップを防止するようになっている。
【００１９】
また籠状円筒フレーム６の下方側の円筒部３の外周には図１に示すようにリング状のツバ部２３が突設され、このツバ部の両側に、ベアリングで構成された押えローラ２４が取付けられ、二重円筒スクリーン２の下方への移動を防止している。また図４に示すように二重円筒スクリーン２の外側円筒スクリーン１３の左右両側と下方を囲むようにＶ形のシュート１８が取付けられている。
【００２０】
また図２に示すように、前記投入口１５には図示しないチョッパーで細かく切削された木材チップ２５を二重円筒スクリーン２の内側円筒スクリーン１０内に搬入する搬入ベルトコンベア２８の先端が挿入されている。また第１の排出口１６の前方にはオーバーサイズのチップ２５Ａを捕集する搬出ベルトコンベア２９Ａが設けられ、また第２の排出口１７の前方には適合サイズのチップ２５Ｂを捕集する搬出ベルトコンベア２９Ｂが設けられ、更に外側円筒スクリーン１３を囲むシュート１８の下方にはダスト２６を捕集する搬出ベルトコンベア２９Ｃが設けられている。
【００２１】
上記構成の二重トロンメルは、ギアードモータ２０に接続した駆動ローラ２１が回転すると、これと従動ローラ１９の上に回転自在に支持された二重円筒スクリーン２が図３の矢印方向に回転する。この状態で被選別材となるチョッパーで細かく切削された木材チップ２５を二重円筒スクリーン２の投入口１５から搬入ベルトコンベア２８で搬入する。
【００２２】
このように二重円筒スクリーン２が回転しているので、内部に投入された木材チップ２５も回転しながら内側円筒スクリーン１０内を下降し、図２に示すように篩目の大きな多孔板８Ａの透過孔７Ａで選別されて、適合サイズのチップ２５Ｂとダスト２６が通過し、オーバーサイズのチップ２５Ａはそのまま下降して第１の排出口１６から搬出ベルトコンベア２９Ａで排出される。
【００２３】
また内側円筒スクリーン１０を通過した適合サイズのチップ２５Ｂとダスト２６は、この外側に設けた外側円筒スクリーン１３に落下して更に回転しながら篩目の小さな多孔板８Ｂの透過孔７Ｂで選別されて、ダスト２６だけが通過する。このダスト２６は、Ｖ形のシュート１８に案内されて落下し、搬出ベルトコンベア２９Ｃで外部に搬出される。また外側円筒スクリーン１３内に残った適合サイズのチップ２５Ｂはそのまま下降し第２の排出口１７から搬出ベルトコンベア２９Ｂで外部に排出される。
【００２４】
この場合、図４に示すように先ず内側円筒スクリーン１０で、オーバーサイズのチップ２５を選別してから、外側円筒スクリーン１３でダスト２６の混在した適合サイズのチップ２５Ｂを選別するので、従来のようにオーバーサイズのチップ２５が混ざった状態でダスト２６を除去する方法に比べてダスト２６の選別効率が優れている。
【００２５】
しかも外径の大きな外側円筒スクリーン１３で選別するので周速度が大きく、ダスト２６の混在した適合サイズのチップ２５Ｂは内周面に沿って高く持ち上げられて落下し、回転する内側円筒スクリーン１０の外周や外側円筒スクリーン１３の内側底面に叩き付けるように落下するので、混在しているダスト２６が更に効率よく除去される。この結果、ダスト含有率の少ない販売価格の高い適合サイズのチップ２５Ｂを得ることができる。
【００２６】
また二重円筒スクリーン２は図２に示すように、リング状のツバ部２３の前後両側から押えローラ２４、２４で挟持されているので、横置きに傾斜して配置した二重円筒スクリーン２は移動することなく円滑に回転することができる。更に駆動ローラ２１はノーパンクタイヤで形成されているので、スリップすることなく二重円筒スクリーン２を円滑の回転させることができる。
【００２７】
図６は本考案の他の実施の形態を示すもので、内側円筒スクリーン１０の円筒部３を回転自在に支持する駆動ローラ２１と従動ローラ１９を対向して配置し、駆動ローラ２１の上部が矢印方向に回転する時、その回転により二重円筒スクリーン２を移動させるように、二重円筒スクリーン２の中心軸Ｃと直交する方向に対して傾斜して取付けると共に、従動ローラ１９を駆動ローラ２１に平行して取付けたものである。このように円筒部３を支持して回転する駆動ローラ２１を傾斜させることにより、二重円筒スクリーン２を上方に移動させる力が作用し、リング状のツバ部２３に下方側から接触する押えローラ２４に加わる荷重が低減され、押えローラ２４のベアリングの損傷を防止することができる。この駆動ローラ２１と従動ローラ１９の傾斜角度は例えば数度の範囲で、二重円筒スクリーン２の外径や、処理量、回転速度などを考慮して設定する。
【００２８】
なお上記説明では駆動ローラ２１として、ノーパンクタイヤを用いた場合について示したが、金属ローラの外周に、滑り止めの弾性ゴムを巻回したものでも良い。また多孔板８Ａ、８Ｂとして円形の透過孔７Ａ、７Ｂを打ち抜いた打ち抜き板を用いた場合について示したが、四角や多角形でも良く、またラス材を用いても良い。
【産業上の利用可能性】
【００２９】
なお本考案の二重トロンメルは木材の樹皮やチップの選別に限らず、粉体や、砂利、粉砕した産業廃棄物などの選別にも広く使用することができる。
【図面の簡単な説明】
【００３０】
【図１】本考案の実施の一形態による二重トロンメルの側面図である。
【図２】図１の二重トロンメルを破断して示す側面図である。
【図３】図１の二重トロンメルを示す正面図である。
【図４】図３の二重トロンメルを破断して示す正面図である。
【図５】二重円筒スクリーンを支持する駆動ローラと従動ローラの配置関係を示す説明図である。
【図６】本考案の他の実施の形態による駆動ローラの取付け状態を示す説明図である。
【符号の説明】
【００３１】
１      基台  
２      二重円筒スクリーン      
３      円筒部  
４      円筒部  
５      籠状の枠  
６      籠状円筒フレーム      
７Ａ、７Ｂ  透過孔      
８Ａ、８Ｂ  多孔板      
１０    内側円筒スクリーン    
１１    リング状の金属板      
１２    補強用ステー      
１３    外側円筒スクリーン      
１５    投入口            
１６    第１の排出口          
１７    第２の排出口      
１８    シュート    
１９    従動ローラ      
２０    ギアードモータ    
２１    駆動ローラ      
２３    ツバ部        
２４    押えローラ    
２５    木材チップ    
２５Ａ  オーバーサイズチップ  
２５Ｂ  適合サイズチップ  
２６    ダスト    
２８    搬入ベルトコンベア  
２９Ａ、２９Ｂ、２９Ｃ  搬出ベルトコンベア    
【図１】
0003195454.tif 000003
【図２】
0003195454.tif 000004
【図３】
0003195454.tif 000005
【図４】
0003195454.tif 000006
【図５】
0003195454.tif 000007
【図６】
0003195454.tif 000008